(57)【要約】【課題】フレームの太さの違いによる違和感を解消できる写真撮影装置等を提供する。【解決手段】写真撮影装置２は、ユーザを撮影する撮影部１０１と、サーバ３からフレーム付きの画像をダウンロードするダウンロード部１０２と、フレーム付き画像を用紙にプリントし、フレームの縦辺の外側の一部を省いたプリント物を作成するプリント部１０３と、プリント物におけるフレームの縦辺と横辺の太さの比を、フレーム付き画像におけるフレームの縦辺と横辺の太さの比に近付けるための制御を行うフレーム補正部１０４と、を有する。【選択図】図７
2019140564.tif 000002
【特許請求の範囲】
【請求項１】
ユーザを撮影する撮影部と、
画像の周囲に矩形枠状のフレームを配置したフレーム付き画像をサーバからダウンロードするダウンロード部と、
前記フレーム付き画像を用紙にプリントし、前記フレームの縦辺の外側の一部を省いたプリント物を作成するプリント部と、
前記プリント物における前記フレームの縦辺と横辺の太さの比を、前記フレーム付き画像における前記フレームの縦辺と横辺の太さの比に近付けるための制御を行うフレーム補正部と、
を有することを特徴とする写真撮影装置。
【請求項２】
前記フレーム補正部は、前記フレーム付き画像を補正することで、前記プリント物における前記フレームの縦辺と横辺の太さの比を、補正前の前記フレーム付き画像における前記フレームの縦辺と横辺の太さの比に近付けることを特徴とする請求項１記載の写真撮影装置。
【請求項３】
前記フレーム補正部は、前記フレーム付き画像を補正する際に、前記用紙から前記フレームの縦辺がはみ出す太さを算出し、当該太さの部分を前記フレームの縦辺の内側に付加することで前記フレームの縦辺を内側に拡げることを特徴とする請求項２記載の写真撮影装置。
【請求項４】
前記フレーム補正部は、前記フレームのデータを用いて前記太さを算出し、
当該太さの部分を前記縦辺の内側に付加した補正後のフレームを作成し、
前記補正後のフレームを前記フレーム付き画像に重畳することを特徴とする請求項３記載の写真撮影装置。
【請求項５】
前記ダウンロード部は、前記フレームのデータを前記サーバからダウンロードすることを特徴とする請求項４記載の写真撮影装置。
【請求項６】
請求項１から請求項５のいずれかに記載の写真撮影装置と、
ユーザ端末と、
前記サーバと、
を有し、
前記ユーザ端末は、前記画像の周囲に前記フレームを配置する設定を行うことを特徴とする画像プリントシステム。
【発明の詳細な説明】
【技術分野】
【０００１】
本発明は、写真撮影装置、および画像プリントシステムに関する。
【背景技術】
【０００２】
スマートフォン等の記憶部に格納されたユーザの画像を街頭のプリント装置でプリントする画像プリントサービスは種々存在し、コンビニエンスストアや家電量販店等に設置されているプリント装置でプリントを行うことが可能である。
【０００３】
特許文献１には、証明写真の撮影ボックスにおいて、カメラ付き通信装置（携帯電話）に保存された一般的な画像をプリントできるサービスが記載されている。特許文献１のサービスでは、カメラ付き通信装置からサーバに送信された画像を撮影ボックスでダウンロードしてプリントする。
【０００４】
このような証明写真の撮影ボックスにおいては、ロール状の用紙(ロール紙)に画像をプリントし、画像の上下端をカッターで用紙の幅方向にカットしてプリント物を作成している。
【０００５】
プリントする画像の幅が用紙の幅と同じであると、図１６（ａ）に示すように用紙１００のセット位置が左右にずれることで画像の幅方向の端部が印刷できず、図１６（ｂ）に示すようにプリント物Ｐに意図せぬ白端Ａが発生する。そこで、証明写真の撮影ボックスでは、図１６（ｃ）に示すように画像サイズを変更し、プリントする画像の幅を用紙１００の幅よりも大きくする補正を行っている。なお、図１６（ｃ）のＣはカッターで用紙１００をカットする切断線の位置を示したものであり、上記の補正では画像の上下端をこの切断線Ｃの位置に合わせている。
【先行技術文献】
【特許文献】
【０００６】
【特許文献１】特開2004-240737号公報
【発明の概要】
【発明が解決しようとする課題】
【０００７】
スマートフォン等に保存された画像を撮影ボックスでダウンロードしてプリントする場合、図１７（ａ）に示すようにスマートフォン上の操作によって画像１０の編集が行われ、画像１０の周囲にフレーム１１が配置されることがある。フレーム１１は矩形枠状の縁部であり、図１７（ａ）の例では縦辺と横辺の太さがそれぞれW、Dである。撮影ボックスではこのフレーム付き画像１２のサイズを図１７（ｂ）に示すように前記と同様に変更し、プリンタはサイズ変更後の画像１２’をプリントする。
【０００８】
一般的に、サイズ変更後の画像１２’におけるフレーム１１’の縦辺と横辺の太さの比W’/D’は元のフレーム付き画像１２における比W/Dとほとんど変わらないが、図１７（ｂ）に示すように画像１２’のフレーム１１’の縦辺の一部（太さw1の部分）が用紙１００からはみ出すことによって、図１７（ｃ）に示すようにプリント物Ｐではフレーム１１’の縦辺の外側の一部が省かれる。そのため、プリント物Ｐにおけるフレーム１１’の縦辺と横辺の太さの比（W’-w1）/D’が、ユーザが編集した当初のフレーム付き画像１２における比W/Dから変化し、ユーザに違和感を与えるケースが発生する。
【０００９】
本発明は上記の問題に鑑みてなされたものであり、フレーム付き画像とそのプリント物の間の違和感を解消できる写真撮影装置等を提供することを目的とする。
【課題を解決するための手段】
【００１０】
前述した課題を解決するための第１の発明は、ユーザを撮影する撮影部と、画像の周囲に矩形枠状のフレームを配置したフレーム付き画像をサーバからダウンロードするダウンロード部と、前記フレーム付き画像を用紙にプリントし、前記フレームの縦辺の外側の一部を省いたプリント物を作成するプリント部と、前記プリント物における前記フレームの縦辺と横辺の太さの比を、前記フレーム付き画像における前記フレームの縦辺と横辺の太さの比に近付けるための制御を行うフレーム補正部と、を有することを特徴とする写真撮影装置である。
【００１１】
これにより、フレームの縦辺の一部が省かれるフレーム付き画像のプリント物におけるフレームの縦辺と横辺の太さの比を、当初のフレーム付き画像における比に近付けることができ、これらの比の違いによるユーザの違和感を軽減することができる。
【００１２】
前記フレーム補正部は、前記フレーム付き画像を補正することで、前記プリント物における前記フレームの縦辺と横辺の太さの比を、補正前の前記フレーム付き画像における前記フレームの縦辺と横辺の太さの比に近付けることが望ましい。
具体的には、フレーム付き画像の補正によって、プリント物におけるフレームの縦辺と横辺の太さの比を当初のフレーム付きの画像における比に容易に近付けることができる。
【００１３】
前記フレーム補正部は、前記フレーム付き画像を補正する際に、前記用紙から前記フレームの縦辺がはみ出す太さを算出し、当該太さの部分を前記フレームの縦辺の内側に付加することで前記フレームの縦辺を内側に拡げることが望ましい。
この補正方法は前記したサイズ変更後の画像サイズによらずに用いることができ、プリンタの機種に関わらず適用できるので汎用性も高い。
【００１４】
前記フレーム補正部は、前記フレームのデータを用いて前記太さを算出し、当該太さの部分を前記縦辺の内側に付加した補正後のフレームを作成し、前記補正後のフレームを前記フレーム付き画像に重畳することが望ましい。前記ダウンロード部は、例えば前記フレームのデータを前記サーバからダウンロードする。
本発明では、フレームのデータを上記のように補正し、補正後のフレームをフレーム付き画像に重畳することでフレーム付き画像の補正を行うことができ、演算が容易になる。フレームのデータはサーバに保持させておくことで、フレームのパターンの変更、追加等が容易になる。
【００１５】
第２の発明は、第１の発明の写真撮影装置と、ユーザ端末と、前記サーバと、を有し、前記ユーザ端末は、前記画像の周囲に前記フレームを配置する設定を行うことを特徴とする画像プリントシステムである。
【発明の効果】
【００１６】
本発明により、フレーム付き画像とそのプリント物の間の違和感を解消できる写真撮影装置等を提供することができる。
【図面の簡単な説明】
【００１７】
【図１】画像プリントシステム１を示す図。
【図２】写真撮影装置２の外観を示す図。
【図３】写真撮影装置２の構成を示す図。
【図４】制御装置２０のハードウェア構成を示す図。
【図５】サーバ３のハードウェア構成を示す図。
【図６】ユーザ端末５のハードウェア構成を示す図。
【図７】写真撮影装置２の機能構成を示す図。
【図８】画像プリント方法の手順を示すフローチャート。
【図９】画像プリント方法の手順を示すフローチャート。
【図１０】画像１０の編集について示す図。
【図１１】プリンタ２５を示す図。
【図１２】フレーム付き画像１２の補正について示す図。
【図１３】フレーム１１の補正について示す図。
【図１４】フレーム付き画像１２の補正について示す図。
【図１５】カット動作の制御について示す図。
【図１６】画像の補正について示す図。
【図１７】フレーム１１、１１’の縦辺と横辺の太さの比について示す図。
【発明を実施するための形態】
【００１８】
以下、図面に基づいて本発明の好適な実施形態について詳細に説明する。
【００１９】
（１．画像プリントシステム１）
図１は本発明の実施形態に係る画像プリントシステム１を示す図である。図１に示すように、本実施形態の画像プリントシステム１は、複数の写真撮影装置２、サーバ３、およびユーザ端末５がネットワーク６を介して通信可能に接続された構成を有する。
【００２０】
写真撮影装置２はユーザが自身の撮影を行うものであり、例えば街頭に設置された証明写真の撮影ボックスである。写真撮影装置２はボックス内のユーザを撮影してその画像を証明写真などとしてプリントする（写真撮影サービス）のに加え、ユーザ端末５からサーバ３に送信されたユーザの画像のプリントも行う（画像プリントサービス）。特に本実施形態では、ユーザが画像を編集して作成したフレーム付き画像のプリントを行うものとする。
【００２１】
図２は写真撮影装置２の外観を示す図であり、図３は写真撮影装置２の構成を示す図である。
【００２２】
写真撮影装置２はユーザが中に入って撮影を行うボックス状の外観を有し、制御装置２０、表示部２１、課金部２２、撮影部２３、照明２４、プリンタ２５、プリント物取出口２６、カーテン２７等を有する。
【００２３】
制御装置２０は写真撮影装置２の内部に設けられ、写真撮影装置２の処理全体を制御する。
【００２４】
図４は制御装置２０のハードウェア構成を示す図である。図４に示すように、制御装置２０は、例えば制御部２０１、記憶部２０２、入力部２０３、通信制御部２０４等をバス等により接続して構成したコンピュータにより実現できる。但しこれに限ることなく、適宜様々な構成をとることができる。
【００２５】
制御部２０１はCPU、ROM、RAMなどから構成される。CPUは、記憶部２０２、ROMなどの記憶媒体に格納された制御装置２０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２０２、ROMなどからロードしたプログラムやデータを一時的に保持するとともに、制御部２０１が各種処理を行うために使用するワークエリアを備える。
【００２６】
記憶部２０２はハードディスクドライブやソリッドステートドライブ、フラッシュメモリ等であり、後述する処理に際し制御装置２０が実行するプログラム、プログラム実行に必要なデータ、OSなどが格納される。これらのプログラムやデータは、制御部２０１により必要に応じて読み出され実行される。
【００２７】
入力部２０３は制御装置２０に各種の設定入力を行うものである。
通信制御部２０４はネットワーク６等を介した通信を媒介する通信インタフェースであり、サーバ３等との間で通信を行う。
【００２８】
図２、３の説明に戻る。表示部２１は、写真撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００２９】
課金部２２は、硬貨や紙幣の投入口、つり銭返却口、レシート取出口、レシートプリンタ等（不図示）を備え、ユーザからの課金やレシートの発行を管理する。
【００３０】
撮影部２３は、撮影窓の内側にカメラ等を設けたものである。カメラには例えば高解像度のデジタルカメラが用いられるが、これに限ることはない。
【００３１】
照明２４は、ユーザを含むボックス内の全体を照らす照明である。照明２４は例えば白色の光を照射する面光源であり、撮影部２３の上部に設けられるが、これに限ることはない。なお、写真撮影装置２には撮影時のフラッシュ用にストロボ光源も設けられる。
【００３２】
プリンタ２５は、画像をプリントするものであり、写真撮影装置２の内部に設けられる。画像をプリントしたプリント物はプリント物取出口２６に排出される。プリンタ２５の方式や設置台数等は特に問わない。
【００３３】
カーテン２７は、写真撮影装置２のボックス内を外部から遮るものである。
【００３４】
図１の説明に戻る。サーバ３は、写真撮影装置２でプリントする画像を管理するサーバである。
【００３５】
図５は、サーバ３のハードウェア構成を示す図である。図５に示すように、サーバ３は、例えば制御部３１、記憶部３２、表示部３３、入力部３４、通信制御部３５等をバス等により接続して構成したコンピュータにより実現できる。但しこれに限ることなく、適宜様々な構成をとることができる。
【００３６】
制御部３１、記憶部３２、入力部３４、通信制御部３５の機能は前記した制御部２０１、記憶部２０２、入力部２０３、通信制御部２０４と略同様である。また表示部３３は液晶パネルなどのディスプレイ装置を有する。
【００３７】
なお、記憶部３２には後述する処理をサーバ３に実行させるためのプログラムが格納される。また入力部３４はキーボード、マウスなどのポインティングデバイス、テンキーなどの入力装置を有する。
【００３８】
図１の説明に戻る。ユーザ端末５はユーザの所持するコンピュータ端末であり、例えばスマートフォン等の携帯端末を用いることができる。
【００３９】
図６はユーザ端末５のハードウェア構成を示す図である。図６に示すように、ユーザ端末５は制御部５１、記憶部５２、表示部５３、入力部５４、通信制御部５５、カメラ５６、音声入出力部５７等をバス等により接続して構成される。但しこれに限ることなく、適宜様々な構成をとることができる。
【００４０】
制御部５１、記憶部５２、入力部５４、通信制御部５５の機能は前記した制御部２０１、記憶部２０２、入力部２０３、通信制御部２０４と略同様である。また表示部５３は液晶パネルなどのディスプレイ装置を有し、入力部５４としてのタッチパネルが設けられている。音声入出力部５７はマイクやスピーカー等である。
【００４１】
なお、記憶部５２には専用のアプリケーションプログラムが格納されており、これにより後述する処理をユーザ端末５によって実行させる。
【００４２】
図７は写真撮影装置２の機能構成を示す図である。図７に示すように、写真撮影装置２は、撮影部１０１、ダウンロード部１０２、プリント部１０３、フレーム補正部１０４等を有する。
【００４３】
撮影部１０１は前記の撮影部２３に対応し、カメラによってボックス内のユーザを撮影するものである。
【００４４】
ダウンロード部１０２は、サーバ３からフレーム付き画像をダウンロードするものである。
【００４５】
プリント部１０３は、フレーム付き画像をプリンタ２５によって用紙にプリントし、プリント物を作成するものである。本実施形態では後述するようにフレームの縦辺の外側の一部を省いたプリント物を作成する。
【００４６】
フレーム補正部１０４は、後述するように、フレーム付き画像のプリント物におけるフレームの縦辺と横辺の太さの比を、サーバ３からダウンロードした元のフレーム付き画像におけるフレームの縦辺と横辺の太さの比に近付けるための制御を行う。特に本実施形態では、上記の制御としてフレーム付き画像の補正を行う。具体的な方法については後述する。
【００４７】
（２．画像プリント方法）
次に、本実施形態の画像プリント方法について説明する。図８、図９は画像プリント方法の手順を示すフローチャートである。図８、図９の各ステップのうち、図８のＳ１１、１２、Ｓ１６はユーザ端末５の制御部５１が実行し、図９のＳ２１、Ｓ２４〜Ｓ２７は写真撮影装置２の制御装置２０が実行する処理である。残りのステップはサーバ３の制御部３１が実行する。
【００４８】
本実施形態では、まずユーザが自身のユーザ端末５でアプリケーションを立ち上げ、表示部５３に表示される選択画面（不図示）上で記憶部５２に格納された画像の中からプリントする画像を選択し、選択された画像の編集指示を行う。ユーザ端末５は画像の編集指示を受付け、画像の編集処理を実行する（図８のＳ１１）。
【００４９】
ここでは、画像の編集として、図１０（ａ）に示すように画像１０の周囲に矩形枠状のフレーム１１を配置する設定を行い、フレーム付き画像１２（以下、画像１２ということがある）を作成するものとする。フレーム１１の縦辺の太さはW、横辺の太さはDとする。なお、本実施形態においてフレーム１１は無地の白色の縁部である。また、画像１０に付加するフレーム１１を、縦辺や横辺の太さが異なる複数のパターンのフレーム１１の中から選択することも可能である。
【００５０】
また、ユーザはユーザ端末５で画像１２のプリント枚数を設定し、サーバ３への送信指示を行う。ユーザ端末５は、図１０（ｂ）に示すように、画像１２、編集情報（フレーム１１のデータ）、およびプリント枚数１３（以下、画像１２等という）をサーバ３へと送信する（Ｓ１２）。
【００５１】
サーバ３は、ユーザ端末５から画像１２等を受信する（Ｓ１３）と、画像１２をプリントするための注文ＩＤを作成し、画像１２等を注文ＩＤと紐付けて記憶部３２に記録する（Ｓ１４）。また、サーバ３は注文ＩＤをユーザ端末５に送信する（Ｓ１５）。ユーザは、ユーザ端末５にて注文ＩＤを受信する（Ｓ１６）。注文ＩＤはプリントする画像１２等を識別する注文識別情報であり、Ｓ１５では注文ＩＤをコード化した二次元コードをユーザ端末５に送信してもよい。
【００５２】
画像１２をプリントするユーザは、街頭にあるいずれかの写真撮影装置２に向かい、写真撮影装置２のボックス内に入る。写真撮影装置２は表示部２１にトップ画面を表示しており、トップ画面では写真撮影サービスまたは画像プリントサービスへの移行が選択可能である。
【００５３】
本実施形態において、ユーザは画像プリントサービスへの移行を選択し、その際表示される入力画面（不図示）にて注文ＩＤを入力する。写真撮影装置２は、入力された注文ＩＤをサーバ３に送信する（図９のＳ２１）。なお、注文ＩＤの入力は前記の二次元コードを写真撮影装置２に設けた読取部（不図示）で読取らせることにより行ってもよい。
【００５４】
サーバ３は、注文ＩＤを受信する（Ｓ２２）と、注文ＩＤに対応する画像１２等を写真撮影装置２に送信する（Ｓ２３）。
【００５５】
写真撮影装置２は、画像１２等を受信（ダウンロード）すると（Ｓ２４）、表示部２１に画像１２および課金を促すメッセージを表示させる。ユーザは画像１２を確認し、課金部２２にて課金を行う。写真撮影装置２は、課金を受付けると（Ｓ２５）、画像１２を補正してプリント用画像を作成し（Ｓ２６）、これをプリントする（Ｓ２７）。Ｓ２６における補正の詳細については後述する。なお、画像１２のプリント枚数は前記したように予め設定された枚数である。また画像１２のプリントを行った旨の情報は上記の注文ＩＤなどとともに写真撮影装置２からサーバ３に送信し、注文ＩＤに対応する画像１２等をサーバ３において削除する。
【００５６】
（３．プリンタ２５と画像補正）
図１１はプリンタ２５を示す図である。プリンタ２５は、リールに巻かれたロール状の用紙１００（ロール紙）を搬送ローラー２５１で搬送しつつ、印画装置２５２にて用紙１００上に画像を形成するものである。印画後の用紙１００はカッター２５３にて切断され、プリント物Ｐとしてプリント物取出口２６に排出される。プリンタ２５のカット動作は制御装置２０によって搬送ローラー２５１とカッター２５３の動作を制御することで実現できる。
【００５７】
なお、後述する画像の幅およびフレーム全体の幅は用紙１００の幅方向に沿った長さをいい、用紙１００の幅方向は用紙１００の搬送方向と平面上直交する。また画像の上下端とは用紙１００の搬送方向における両端を指すものとする。またフレームの縦辺と横辺はそれぞれ用紙１００の搬送方向と幅方向に沿った辺である。
【００５８】
Ｓ２６において、制御装置２０は前記と同様、画像１２のサイズを変更して図１２（ａ）に示すようにサイズ変更後の画像１２’の幅が用紙１００の幅より大きくなるようにする。また画像１２’の上下端が切断線Ｃの位置に合うようにし、この時フレーム１１’の縦辺と横辺の太さはW’、D’となる。一般的に、サイズ変更後の画像１２’におけるフレーム１１’の縦辺と横辺の太さの比W’/D’は元の画像１２における比W/Dとほとんど変わらない。
【００５９】
本実施形態では、さらに、フレーム１１’の縦辺が用紙１００からはみ出す部分の太さw1を求め、当該太さw1の部分を点線Ｅで示すようにフレーム１１’の縦辺の内側に付加することで、図１２（ｂ）に示すようにフレーム１１”の縦辺を内側に拡げた画像１２”を作成する。
【００６０】
この場合も、画像１２”のプリント時にはフレーム１１”の縦辺の外側の一部の太さw1の部分が省かれることになるが、上記の処理により縦辺が内側にw1だけ拡げられているので、図１２（ｃ）に示すようにプリント物Ｐのフレーム１１”の縦辺の太さはW’となる。結果、プリント物Ｐのフレーム１１”の縦辺と横辺の太さの比W’/D’が、ユーザが編集した当初の画像１２（補正前の画像１２）における比W/Dに近付く。すなわち、上記の比W’/D’と比W/Dの差を、サイズ変更後の画像１２’をそのままプリントする場合のプリント物Ｐのフレーム１１’の縦辺と横辺の太さの比(W’-w1）/D’（図１７参照)と比W/Dの差よりも小さくすることができる。
【００６１】
実際の演算時には、Ｓ２４でダウンロードしたフレーム１１のデータ（図１０（ｂ）参照）を用いて、図１３（ａ）に示すようにサイズ変更後の画像１２’においてフレーム１１’の縦辺が用紙１００からはみ出す部分の太さw1を算出し、図１３（ｂ）に示すように当該太さw1の部分を縦辺の内側に付加した補正後のフレーム１１”を作成する。そして、図１３（ｃ）に示すように補正後のフレーム１１”を画像１２’の上に重畳することで、前記の画像１２”を作成できる。
【００６２】
以上説明したように、本実施形態によれば、フレーム１１”の縦辺の一部が省かれるプリント物Ｐにおけるフレーム１１”の縦辺と横辺の太さの比W’/D’を、当初のフレーム付き画像１２における比W/Dに近付けることができ、これらの比の違いによるユーザの違和感を軽減することができる。
【００６３】
具体的には、フレーム付き画像１２の補正によって、プリント物Ｐにおけるフレーム１１”の縦辺と横辺の太さの比W’/D’を当初のフレーム付き画像１２における比W/Dに近付けることができる。すなわち、フレーム付き画像１２を補正する際に、用紙１００からフレーム１１’の縦辺がはみ出す太さw1を算出し、当該太さw1の部分を縦辺の内側に付加することでフレーム１１’の縦辺を内側に広げる。
【００６４】
本実施形態において、ユーザ端末５のアプリケーションによって提供されるフレーム１１は一定の縦辺と横辺の太さを有しており、当該フレーム１１を付加した画像１２が様々な撮影ボックスでプリントされることになる。撮影ボックスに内蔵されるプリンタ２５の機種は撮影ボックスごとに異なり、また撮影ボックスに複数のプリンタ２５が内蔵される場合、それらのプリンタ２５の機種が互いに異なる場合もある。前記したサイズ変更後の画像１２’の画像サイズはプリンタ２５の機種ごとに異なり、どの機種のプリンタ２５でプリントを行うかはシステム上では不明である。しかしながら、上記の補正方法はそれらの画像サイズによらずに用いることができ、プリンタ２５の機種に関わらず適用でき汎用性が高いので、本実施形態のようにフレーム付き画像１２をダウンロードして任意のプリンタ２５でプリントするようなケースに特に適している。
【００６５】
また本実施形態では、フレーム１１のデータを図１３のように補正し、補正後のフレーム１１”を画像１２’に重畳することでフレーム付き画像１２の補正を行うことができ、演算が容易になる。フレーム１１のデータはサーバ３に保持させておくことで、フレーム１１のパターンの変更、追加等も容易である。なお、フレーム１１のデータは少なくともフレーム１１の縦辺の太さと位置に関する情報を含んでいればよい。
【００６６】
しかしながら、本発明はこれに限ることはない。例えば本実施形態ではフレーム１１を無地の白色としたが、その色は白色に限らず、また無地でなく柄を有するものであってもよい。
【００６７】
さらに、本実施形態ではフレーム１１のデータを編集情報としてサーバ３から受信したが、フレーム１１のパターンが少数であり追加や変更が無い場合などでは、そのパターンに対応するフレーム１１のデータを写真撮影装置２の記憶部２０２等に保持するようにしてもよい。フレーム付き画像１２の補正方法については前記と同様であり、ユーザ端末５上で選択されたフレームに対応するフレーム１１のデータを用いて同様の補正が可能である。
【００６８】
また、フレーム付き画像１２の補正方法も前記に限らない。例えば図１４（ａ）に示すようにサイズ変更後の画像１２’においてフレーム１１’の縦辺が用紙１００からはみ出す部分の太さw1を算出した後、フレーム１１’全体の幅を縮小して図１４（ｂ）に示すように2・w1だけ小さくし、用紙１００の幅に収まるようにする。そして、縮小後のフレーム１１”を図１４（ｃ）に示すように画像１２’の上に中心位置を合わせて重畳してもよい。
【００６９】
さらに、フレーム１１’の補正を行わずに、制御装置２０によるカット動作の制御によって図１５（ａ）に示すように両切断線Ｃの位置を画像１２’の内側にd1だけ変更してもよい。これにより、図１５（ｂ）に示すプリント物Ｐにおけるフレーム１１’の縦辺と横辺の太さの比(W'−w1)/(D’−d1)を、ユーザが編集した当初の画像１２における比W/Dに近付けることもできる。すなわち、上記の比(W'−w1)/(D’−d1)と比W/Dの差を、サイズ変更後の画像１２’を切断線Ｃの位置を変えずにプリントする場合のプリント物Ｐのフレーム１１’の縦辺と横辺の太さの比(W’-w1）/D’（図１７参照)と比W/Dの差よりも小さくすることができる。
【００７０】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７１】
１：画像プリントシステム
２：写真撮影装置
３：サーバ
５：ユーザ端末
６：ネットワーク
１０：画像
１１、１１’、１１”：フレーム
１２、１２’、１２”：フレーム付き画像
１３：プリント枚数
２０：制御装置
２１：表示部
２２：課金部
２３：撮影部
２４：照明
２５：プリンタ
２６：プリント物取出口
２７：カーテン
１００：用紙
１０１：撮影部
１０２：ダウンロード部
１０３：プリント部
１０４：フレーム補正部
【図１】
2019140564.tif 000003
【図２】
2019140564.tif 000004
【図３】
2019140564.tif 000005
【図４】
2019140564.tif 000006
【図５】
2019140564.tif 000007
【図６】
2019140564.tif 000008
【図７】
2019140564.tif 000009
【図８】
2019140564.tif 000010
【図９】
2019140564.tif 000011
【図１０】
2019140564.tif 000012
【図１１】
2019140564.tif 000013
【図１２】
2019140564.tif 000014
【図１３】
2019140564.tif 000015
【図１４】
2019140564.tif 000016
【図１５】
2019140564.tif 000017
【図１６】
2019140564.tif 000018
【図１７】
2019140564.tif 000019